(57)【特許請求の範囲】
【請求項１】
鍔部を有する雄部を第１帯状基部に一体的に設け、両先端に爪部を有する断面略円弧状の雌部を第２帯状基部に一体的に設け、該雄部と該雌部とが係合する合成樹脂製の係合部材として該雄部と該雌部とを設け、インデックスを取付けられるインデックス取付部材と該インデックスとを設け、インデックス取付部材に該第１帯状基部を設けてインデックスに該第２帯状基部を設け、あるいは、インデックス取付部材に該第２帯状基部を設けてインデックスに該第１帯状基部を設け、該雄部と該雌部とを係合してインデックス取付部材の上でインデックスを摺動させることにより任意の位置に移動あるいは停止でき、インデックス取付部材とインデックスとを引き離すことにより係合状態から解除でき、雄部と雌部とを対向させて押圧することにより、爪部に挿入する鍔部によって弾性変形する該爪部を該鍔部が通過して、雌部への雄部の挿入を許容し、爪部を鍔部が通過した後で復元した該爪部により該鍔部を係止して戻り方向への雄部の移動を規制し、雄部と雌部とが係合し、インデックス取付部材の上でインデックスを摺動させることにより任意の位置に移動あるいは停止でき、係合した該雄部と該雌部にて、雄部と雌部とを引っ張って、インデックス取付部材とインデックスとを引き離そうとすることにより、鍔部によって押圧され弾性変形する爪部から該鍔部が戻り方向へ移動して、係合状態から解除でき、インデックス取付部材に設けた第１帯状基部の雄部にて、雄部にストッパーを設け、あるいは、インデックス取付部材に設けた第２帯状基部の雌部にて、雌部にストッパーを設け、インデックスを移動した場合に、インデックス取付部材からインデックスが脱落するのを防止することを特徴とする見出し具。
【発明の詳細な説明】
【技術分野】
【０００１】
本発明は、ファイリング用具等にて、索引手段、索引用つけ札またはそのための保持具等にて、シート、紙片、カード、または懸垂とじ込み体と分離可能に取付けられたつけ札等に関し、特には、締め付け手段をもつファイリング用具、あるいは、締め付け手段なしのファイリング用具等に関し、詳細には、ファイル、バインダー、フィルム、シート等に使用する見出し具、あるいは、ホルダー、トレイ、ボックスファイル等の表示部材等（見出し具等）に関する。
【背景技術】
【０００２】
一般に、ファイル、バインダー等の書類ホルダー、ボックスファイル内等におけるシート、フィルム等の仕切り部材に使用する見出し具として、用紙の端部に紙製のインデックスを貼り付けるか、インデックスと一体になったインデックス付きの用紙等が市販品として提供されている。あるいは、下記のようなものがある。以下、具体的に記す。インデクス部材及び該インデクス部材に取付けられるインデクスを合成樹脂製とし、前記インデクス部材の前記インデクスが取付けられる側の少なくとも片面端部に上下方向で連続的に凸部または凹部を設けるとともに、前記インデクスに前記凸部または凹部に滑動可能に嵌合する凹部または凸部を設けたことを特徴とするインデクス取付構造（特許文献１参照）がある。次に、他のものについて記す。収納部を有する樹脂シートまたはフィルム製のホルダーまたはファイルであって、該ホルダーまたはファイルの見出しが取り付けられる端部に、レール状の凹凸部を有するストリップ部材を取り付け、該ストリップ部材の凹凸部に嵌合してスライドできる凹凸部を有する見出し部材を取り付けたことを特徴とするホルダーまたはファイル（特許文献２参照）がある。
【特許文献１】特願平９−３４３４９
【特許文献２】特願平１０−２２５６８４
【発明の開示】
【発明が解決しようとする課題】
【０００３】
一般的には、雄雌等の形状を有する部材において、両者が咬合する力（嵌合する力）は、咬合する箇所の相互の形状および材質に左右されやすい傾向があると述べられている。前記従来例の特許文献１について、請求項１において、インデクスが取付けられる側の少なくとも片面端部に上下方向で連続的に凸部または凹部を設けるとともに、前記インデクスに前記凸部または凹部に滑動可能に嵌合する凹部または凸部を設け、と明記されている。また、例えば、同文献１の図７にて図示されている。しかし、同文献１において、凹部または凸部という形状を単に設けただけであるため咬合する力（嵌合する力）は大きいとはいえない。そのため、インデクス取付構造に手等が接触等した場合に、インデクス部材からインデクスが外れてしまう可能性があるという問題がある。また、咬合する力が弱いため、インデクス部材の、滑動可能な、長手（レール）方向に対して、インデクスが同じ場所にとどまるのに必要とする一定の摩擦抵抗は、あまり大きくない。よって、真っ直ぐに立てたインデクス取付構造に振動等を与えた場合に、インデクス部材からインデクスが滑り落ちる可能性があるという問題がある。前記特許文献２については、請求項１、４において、ストリップ部材の凹凸部に嵌合してスライドできる凹凸部を有する見出し部材を取り付け（中略）凹凸部には、係合用の爪部が設けられている、と明記されている。また、同文献２の図４にて、凹部または凸部は略垂直状に立ち上がった形状であることが図示されている。本願の図１３は、同文献２の図４を部分拡大したもの（番号を一部追記）である。なお、見やすくするため、本願の図１３の断面図の斜線を省いた本願の図１４を掲載してある。つまり、特許文献２は、特許文献１の凹部または凸部に対して、先端に爪部を設けたような形状になっている。しかし、略垂直状の形状は、咬合する力が一般的にあまり大きくない。また、略垂直状の形状は、外部から力を加えた場合に対する、それ自身の強度も高いとはいえない。特許文献１と同様に、インデクス（見出し部材）が外れてしまう可能性があるという問題がある。あるいは、同様に、インデクスが滑り落ちる可能性があるという問題がある。そういう内容を想定してか、図において、２組連接して凹凸部を設けてある。２組設けることにより嵌合する力は増加することが考えられる。しかし、２組設けることにより、製造工程が複雑になり、材料コストも増加し、インデクス取付構造（ホルダーまたはファイル）の大きさも大きくなってしまうという問題が発生する。なお、以上について、より詳細な内容について、別のところに記載した。また、同文献２は、２組連接して凹凸部を設けているため、嵌合（咬合）する場合に凹凸部の２組を同時に嵌合（咬合）させる必要があるので、挿入等に手間がかかるという問題がある。本発明は、前記問題を解消し、インデクスが外れてしまう可能性が少なく、長手方向に対してインデクスが滑り落ちる可能性を低くすることができ、製造工程が簡易になり、材料コストを低減でき、インデクス取付構造の大きさも比較的大きくならず、咬合（嵌合）する場合の手間を軽減する見出し具を提供することを目的とする。
【０００４】
前記従来例の特許文献１について、第３実施形態において、ＰＰインデクスは、（中略）１枚のシート状に構成されている、そして、ＰＰインデクスの左右いずれか一方の側部には、前記（インデクス部材の）凸部に滑動可能に嵌合する射出成型等で形成された凹部が上下方向で連続的に設けられている、と明記されている。また、同文献１の図７にて、ＰＰインデクスの厚さ以内で凹部が形成されていることが図示されている。つまり、１枚のシート状で構成されるＰＰインデクスの厚さ以内で凹部を射出成型等で形成していることになる。しかし、滑動可能に嵌合する射出成型等で形成された凹部の大きさを比較的小さくするには、技術的におのずから限界があり、よって、ＰＰインデクス自体の厚さもそれほど薄くはできないという問題がある。また、前記実施形態とは別に、１枚のＰＰシート上に盛り付けるような形で射出成型等で形成する場合についても、滑動可能に嵌合する凹部の大きさが比較的大きくない凹部を確実に形成するには技術的には容易ではなく、たとえ技術的に克服したとしてもかかるコストが安くないと想定される、という問題がある。本発明は、前記問題を解消し、インデクス（見出し部材）自体の厚さを薄くできる見出し具を提供することを目的とする。
【０００５】
前記従来例の特許文献２について、請求項１において、前記ホルダーまたはファイルの見出しが取り付けられる端部にレール状の凹凸部を有するストリップ部材を取り付け、と明記されている。また、発明の実施の形態にて、本発明で使用されるストリップ部材及び見出し部材は、（中略）その断面形状は略同一であるので、同一の材料がそのまま両方に使用できる、と明記されている。また、同文献２の図４にて、略同一であることが図示されている。つまり、ストリップ部材及び見出し部材の両方に使用できるように、断面形状を略同一に設けてあることになる。よって、略同一に設けたことにより、シートまたはホルダーまたはファイルよりも、ストリップ部材及び見出し部材の凹凸部は外側に突出した形となっている。そのため、シートまたはホルダーまたはファイルを直立状態で本棚に挿入しようとして本棚の奥の面に凹凸部周辺等が衝突した場合、あるいは、手等による軽微な力等が凹凸部付近に作用した場合等に、凹凸部周辺は衝撃を受けやすく、凹凸部周辺が曲折または凹凸部が外れてしまう可能性があるという問題がある。また、シートまたはホルダーまたはファイルよりも外側に突出した凹凸部を支持しなくてはならないので、前記ストリップ（細長い片）の厚さは強度を維持するため分厚くなってしまう。よって、シートまたはホルダーまたはファイルの上に、分厚いストリップ（細長い片）が重なるので全体の厚さが分厚くなるという問題がある。また、横長に分厚いストリップ（細長い片）を取り付けているのでその分だけ余計にコストがかかるという問題がある。本発明は、前記問題を解消し、凹凸部周辺が曲折または凹凸部が外れてしまう可能性を少なくすることができ、全体の厚さが分厚くならず、コスト低減が可能な見出し具を提供することを目的とする。
【０００６】
また、前記市販品において、用紙の端部に既にあるインデックスに対して、さらに、同じ用紙の端部に新規のインデックスを追加する場合に、あるいは、既にあるインデックス付きの用紙に対して、さらに、新規のインデックス付きの用紙を追加する場合に、追加するインデックスの箇所によっては、既にあるインデックスと新規のインデックスが重なってしまうという問題がある。本発明は、前記問題を解消し、インデックスを追加しても、既にあるインデックスと新規のインデックスが重なるのを防ぎやすい見出し具を提供することを目的とする。あるいは、前記追加する新規のインデックスのサイズや形に関係なく、インデックスが重なるのを防ぎやすい見出し具を提供することを目的とする。また、前記追加する新規のインデックスを、同じ用紙の端部に複数追加しても同様の効果を得ることができる見出し具を提供することを目的とする。また、咬合する力が大き過ぎず、あるいは、小さ過ぎないよう調整しやすくなる見出し具を提供することを目的とする。また、咬合する力を適度に大きくすることもできる見出し具を提供することを目的とする。また、雄部と雌部とが咬合する場合の柔軟性が向上する見出し具を提供することを目的とする。
【０００７】
なお、先の出願に基づく優先権主張により当該出願を行うが、先の出願の明細書における、発明が解決しようとする課題の項については、以上のとおり、原文はそのまま残して記載しておく。これより、以下について、発明が解決しようとする課題の項についての補足を行う。
【０００８】
下記の説明を行う前に図について記載しておく。先に記載した、同文献２の図４を部分拡大したもの（番号を一部追記）である本願の図１３、および、本願の図１３の断面図の斜線を省いた本願の図１４にて、次のようにしてある。同文献２において、図１３、１４にて、爪部は、６ｃ、６ｃ１、７ｃ、７ｃ１（番号を一部追記）で計４箇所となっている。また、同文献２の文中においては、凸部６ａ、６ｂ、７ａ、７ｂと記されていたので、そのまま番号を図１３、１４に追加した。同文献２の図４には凹部の番号が明記されていないので凹部は不明だが、図示されていることから、図１３、１４の６ａ１、６ｂ１（番号は追記）も凹凸部であることが理解される。結果、凹凸部は、６ａ、６ｂ、７ａ、７ｂ、６ａ１、６ｂ１の計６箇所で形成されていることになる。また、本願の図１４を利用して、下記についての説明を行うために寸法を記載した本願の図４２を図示した。また、同様に、本願の図５を利用して、下記についての説明を行うために寸法を記載した本願の図４３を図示した。
【０００９】
同文献２において、図４２にて、例えば、凸部７ａと７ｂ間等の寸法をＡ、Ｂとする。同文献２は、先端の爪部が片側にしかないため、寸法Ｂと寸法Ａとの差だけしか生じないので、凸部７ａと７ｂ間にて凸部６ａが嵌合されている状態から抜け出す場合、抜け出しやすいという問題がある。また、抜け出しを防止するため、寸法Ｂを長く設けても、挿入する際の寸法Ａが障害となり、挿入しづらく、結果、抜け出しを防止するために寸法Ｂを長く設けることは難しい。また、寸法Ａを長く設けても抜け出しやすくなるので改善されない。よって、寸法Ｂを長く設けることは難しいので、図１４にて、例えば、爪部６ｃと爪部７ｃ１との相互の接触面積も広くすることは難しくなるので、密接度もあまり高くすることはできず、咬合する力（嵌合する力）は大きいとはいえない。本発明は、前記問題を解消し、凸部間にて別の凸部が嵌合されている状態から抜け出そうとする場合に、抜け出しにくい見出し具を提供することを目的とする。
【００１０】
また、同文献２において、特に図示しないが、７ａ、７ｂ等のストリップ部材に対して、６ａ、６ｂ等の見出し部材の向きを反対にしてしまった場合、嵌合できないという問題がある。例えば、製造設備あるいは作業等にて、反対にしてしまった場合に嵌合できず、失敗してしまうという不安を拭うことができないという問題がある。本発明は、前記問題を解消し、ストリップ部材に対して見出し部材の向きを反対にしてしまった場合にも、嵌合できずに失敗してしまうのを防ぐことが可能な見出し具を提供することを目的とする。
【００１１】
また、同文献２において、先に記した事柄について一部補足説明する。同文献２において、ストリップ部材及び見出し部材の両方に使用できるように、略同一に設けたことにより、シートまたはホルダーまたはファイルよりも、ストリップ部材及び見出し部材の凹凸部は外側に突出した形となっている、と先に記した。この記述について補足する。つまり、詳細に記載するならば、図４２にて、略同一に設けたことにより、寸法Ｆに相対する寸法Ｇを設定しなければならず（略同一でなければ寸法Ｇの設定は不要）、よって、その形状からくる配置の制限により、結果、ストリップ部材及び見出し部材の凹凸部は寸法Ｈだけ外側に突出した形となっている。
【００１２】
また、ファイル、バインダー等に綴じてあるもの、あるいは、袋、ホルダー、トレイ、ボックスファイル等に収納してあるものにおいて、その内容の進捗状況、在庫状況等をタイムリーに表示しようとする場合、その都度、手書きで表示したり、状況を記載したものを貼り付けたりしなければならず、手間を要するという問題がある。その内容の進捗状況、在庫状況等をタイムリーに表示しようとする場合にほとんど手間を必要とせず、明確に表示することができる見出し具を提供することを目的とする。また、物を収納した袋、ホルダー等について、法人内等の同じグループ間で頻繁に運搬する場合、相手先のグループ名等を表示しようとする時、その表示をするために表示物の変更を毎回しなければならず、表示物の付け替え等に手間を要するという問題がある。相手先のグループ名等を表示しようとする場合に、ほとんど手間を必要とせず、明確に表示することができる見出し具を提供することを目的とする。
【課題を解決するための手段】
【００１３】
本発明によると上記課題は、次のようにして解決される。
鍔部を有する雄部を第１帯状基部に一体的に設け、両先端に爪部を有する断面略円弧状の雌部を第２帯状基部に一体的に設け、該雄部と該雌部とが係合する合成樹脂製の係合部材として該雄部と該雌部とを設け、インデックスを取付けられるインデックス取付部材と該インデックスとを設け、インデックス取付部材に該第１帯状基部を設けてインデックスに該第２帯状基部を設け、あるいは、インデックス取付部材に該第２帯状基部を設けてインデックスに該第１帯状基部を設け、該雄部と該雌部とを係合してインデックス取付部材の上でインデックスを摺動させることにより任意の位置に移動あるいは停止でき、インデックス取付部材とインデックスとを引き離すことにより係合状態から解除でき、雄部と雌部とを対向させて押圧することにより、爪部に挿入する鍔部によって弾性変形する該爪部を該鍔部が通過して、雌部への雄部の挿入を許容し、爪部を鍔部が通過した後で復元した該爪部により該鍔部を係止して戻り方向への雄部の移動を規制し、雄部と雌部とが係合し、インデックス取付部材の上でインデックスを摺動させることにより任意の位置に移動あるいは停止でき、係合した該雄部と該雌部にて、雄部と雌部とを引っ張って、インデックス取付部材とインデックスとを引き離そうとすることにより、鍔部によって押圧され弾性変形する爪部から該鍔部が戻り方向へ移動して、係合状態から解除でき、インデックス取付部材に設けた第１帯状基部の雄部にて、雄部にストッパーを設け、あるいは、インデックス取付部材に設けた第２帯状基部の雌部にて、雌部にストッパーを設け、インデックスを移動した場合に、インデックス取付部材からインデックスが脱落するのを防止することを特徴とする見出し具とする。
【００１４】
削除。
【００１５】
削除。
【００１６】
削除。
【００１７】
削除。
【００１８】
削除。
【００１９】
削除。
【００２０】
削除。
【００２１】
削除。
【００２２】
削除。
【００２３】
削除。
【発明の効果】
【００２４】
本発明によれば、次のような効果を奏する。インデックスの雄部雌部周辺が曲折する可能性を少なくでき、インデックスの雄部雌部が外れてしまう可能性を少なくすることができ、長手方向に対してインデックスが滑り落ちる可能性を低くすることができる。また、インデックスおよびインデクス取付部材の大きさも比較的大きくならず、全体の厚さが分厚くならずにすむ。また、嵌合する場合の手間を軽減することができる。また、製造工程が簡易になり、材料コストを低減できる。また、インデックスを追加しても、既にあるインデックスと新規のインデックスが重なるのを防ぎやすい。あるいは、前記追加する新規のインデックスのサイズや形に関係なく、インデックス同士が重なるのを防ぎやすい。また、前記追加する新規のインデックスを、同じ用紙の端部に複数追加しても同様の効果を得ることができる。また、咬合する力が大き過ぎず、あるいは、小さ過ぎないよう調整しやすくなる。また、咬合する力を適度に大きくすることもできる。また、インデックス取付部材とインデックスとを引き離さなくても咬合状態から解除でき、あるいは、雄部と雌部とを押圧して咬合する必要もなくなる。また、製造設備あるいは作業等にて、インデックス取付部材に対しインデックスの向きを反対にしてしまった場合に嵌合できず、失敗してしまうということがなくなる。
【００２５】
削除。
【００２６】
削除。
【００２７】
削除。
【００２８】
削除。
【００２９】
また、前記インデックス取付部材に設けた前記第１帯状基部の前記雄部にて、前記雄部にストッパーを設け、あるいは、前記インデックス取付部材に設けた前記第２帯状基部の前記雌部にて、前記雌部にストッパーを設けることにより、前記インデックスを移動した場合に、前記インデックス取付部材から前記インデックスが脱落するのを防止できる。
【００３０】
削除。
【００３１】
削除。
【発明を実施するための最良の形態】
【００３２】
以下に、添付図面に基づいて本発明の実施の形態について詳細に説明するが、本発明の範囲は、以下に説明される実施の形態に限定されるものではない。なお、実施例１３、実施例１４は、文章の構成上、欠番としてある。本発明の一実施形態である、実施例１である、見出し具（１２）について記す。実施例１である、見出し具（１２）は、図５、６にて、頭部（１）を有する雄部（２）を第１帯状基部（３）に一体的に設けてある。両先端（４）に爪部（５）（２２）を有する断面略円弧状（６）の雌部（７）を第２帯状基部（８）に一体的に設けてある。該雄部（２）と該雌部（７）とが咬合する合成樹脂製の咬合部材（１３）（２０）として該雄部（２）と該雌部（７）とを設けてある。図１、３にて、インデックス（９）を取付けられるインデックス取付部材（１０）と該インデックス（９）を合成樹脂製として設けてある。インデックス取付部材（１０）の端部（１１）に該第１帯状基部（３）を設けてある。インデックス（９）に該第２帯状基部（８）を設けてある。
【００３３】
次に、実施例１である、見出し具（１２）の作用について記す。図１、３、５、６にて、該雄部（２）と該雌部（７）とを咬合してインデックス取付部材（１０）の上でインデックス（９）を摺動させることにより任意の位置に移動あるいは停止できる。インデックス取付部材（１０）とインデックス（９）とを引き離すことにより咬合状態から解除できる。より具体的に記す。インデックス取付部材（１０）の雄部（２）とインデックス（９）の雌部（７）を手の指等を使用して相互に押圧させて咬合して取り付ける。取付け後、方向Ｕまたは方向Ｄにインデックス（９）をスライドさせることにより、インデックス取付部材（１０）の上をインデックス（９）が移動できる。また、インデックス取付部材（１０）に対してインデックス（９）を持ち上げたり、引っ張ったりすることにより、咬合状態から解除し、インデックス取付部材（１０）上からインデックス（９）を取り外すことができる。
【００３４】
実施例１である、見出し具（１２）の効果としては、次のようなものがある。先にも記したが、一般的には、雄雌等の形状を有する部材において、両者が咬合する力（嵌合する力）は、咬合する箇所の相互の形状および材質に左右されやすい傾向があると述べられている。実施例１である、見出し具（１２）は、頭部（１）を有する雄部（２）と断面略円弧状（６）の雌部（７）により咬合するように設けてあるため、咬合する力（嵌合する力）は比較的大きいものとなっている。そのため、インデックス（９）またはインデックス取付部材（１０）に手等が接触等した場合でも、インデックス取付部材（１０）からインデックス（９）が外れてしまう可能性を少なくすることができる。また、咬合する力が比較的大きいため、インデックス取付部材（１０）の、摺動可能な、長手（レール）方向に対して、インデックス（９）が同じ場所にとどまるのに必要とする一定の摩擦抵抗も、比較的大きくすることができる。よって、真っ直ぐに立てたインデックス取付部材（１０）等に振動等を与えた場合でも、インデックス取付部材（１０）からインデックス（９）が滑り落ちる可能性を低くすることができる。また、断面略円弧状（６）の形状は、外部から力を加えた場合に対する、それ自身の強度も大きい。また、他の効果として次のようなものがある。既に記載した前記発明が解決しようとする課題と一部重複するが以下に記す。前記特許文献２については、前記ストリップ部材の凹凸部に嵌合してスライドできる凹凸部を有する見出し部材を取り付け（中略）凹凸部には、係合用の爪部が設けられている、と明記されている。また、（例えば同文献２の図４にて）凹部または凸部は略垂直状に立ち上がった形状であることが図示されている。図１３は、同文献２の図４を部分拡大したもの（番号を一部追記）である。なお、見やすくするため、本願の図１３の断面図の斜線を省いた本願の図１４を掲載してある。特許文献２は、特許文献１の凹部または凸部に対して、先端に爪部を設けたような形状になっている。しかし、略垂直状の形状は、咬合する力が一般的にあまり大きいとはいえない。特許文献１と同様に、インデクス（見出し部材）が外れてしまう可能性があるという問題がある。あるいは、同様に、インデクスが滑り落ちる可能性があるという問題がある。そういう内容を想定してか、図において、２組連接して凹凸部を設けてある。２組設けることにより咬合する力は増加することが考えられる。しかし、２組設けることにより、製造工程が複雑になり、材料コストも増加し、インデクス取付構造（ホルダーまたはファイル）の大きさも大きくなってしまうという問題が発生する。以下、具体的に説明する。同文献２において、図１４にて、爪部は、６ｃ、６ｃ１、７ｃ、７ｃ１（番号を一部追記）で計４箇所となっている。また、文中においては、凸部６ａ、６ｂ、７ａ、７ｂと記されていたので、そのまま番号を図に追加した。同文献２の図４には凹部の番号が明記されていないので凹部は不明だが、図示されていることから、図１４の６ａ１、６ｂ１（番号は追記）も凹凸部であることが理解される。結果、凹凸部は、６ａ、６ｂ、７ａ、７ｂ、６ａ１、６ｂ１の計６箇所で形成されていることになる。また、例えば、本発明の実施例１である、見出し具（１２）においては、図５にて、爪部に相当する箇所または爪部が５、２２、２３、２４で計４箇所、凹凸部に代わる雌部または頭部が７、２５、１で計３箇所としてある。つまり、爪部が、同文献２および本発明にて、各々４箇所であるにもかかわらず、凹凸部、および凹凸部に代わる雌部または頭部が、同文献２は６箇所、本発明は３箇所となっている。同文献２と比較して、本発明は３箇所減少している。以上から、同文献２は、製造工程が複雑になり、材料コストも増加し、インデクス取付構造（ホルダーまたはファイル）の大きさも大きくなってしまうという問題が発生する。つまり、実施例１である、見出し具（１２）は、製造工程が簡易になり、材料コストを低減でき、インデックス（９）およびインデックス取付部材（１０）の大きさも比較的大きくならずにすむ。また、同文献２のように、２組連接して凹凸部を設ける必要がないため、嵌合（咬合）する場合に凹凸部の２組を同時に嵌合（咬合）させる必要がなく、挿入等にかかる手間（嵌合する場合の手間）を軽減できる。以上のような顕著な効果を本発明は達成する。顕著な効果を達成する本発明の特徴について、前記特許文献１、２には何も記載がない。したがって、特許文献１、２に記載のものに基づいて本発明を当業者が容易になし得るものではないと確信する。また、実施例１である、見出し具（１２）においては、インデックス取付部材（１０）の端部（１１）に該第１帯状基部（３）を設けてある。つまり、実施例１である、見出し具（１２）においては、インデックス取付部材（１０）の端部（１１）の直上に該第１帯状基部（３）を設けてある。よって、インデックス取付部材（１０）よりも、インデックス（９）の雄部（２）雌部（７）は外側に突出した形とならず、そのため、インデックス取付部材（１０）を直立状態で本棚に挿入しようとしても本棚の奥の面に雄部（２）雌部（７）周辺等が衝突することがなく、あるいは、手等による軽微な力等が雄部（２）雌部（７）付近に作用した場合等に、雄部（２）雌部（７）周辺は衝撃を受けずにすみ、雄部（２）雌部（７）周辺が曲折または雄部（２）雌部（７）が外れてしまう可能性が少なくなる。また、インデックス取付部材（１０）よりも雄部（２）雌部（７）が外側に突出しないので、雄部（２）雌部（７）を支持するため、強度を上げる必要がなく、分厚くならずにすむ。また、その分だけ余計にコストがかからずにすみ、コスト低減が可能である。また、用紙の端部に既にあるインデックス（９）に対して、さらに、同じ用紙の端部に新規のインデックスを追加する場合に、追加するインデックスの箇所によっては、既にあるインデックス（９）と新規のインデックスが重なってしまうが、実施例１である、見出し具（１２）においては、方向Ｕまたは方向Ｄにインデックス（９）をスライドさせることによりインデックス（９）が移動できるため、重なるのを防ぎやすい。また、前記追加する新規のインデックスのサイズや形に関係なく、インデックス同士が重なるのを防ぎやすい。また、前記追加する新規のインデックスを、同じ用紙の端部に複数追加しても同様の効果を得ることができる。また、実施例１である、見出し具（１２）においては、該雄部（２）と該雌部（７）とが咬合する合成樹脂製の咬合部材（１３）（２０）として該雄部（２）と該雌部（７）とを設けてある。合成樹脂製としてあるため、硬度を変更することにより、咬合する力が大き過ぎず、あるいは、小さ過ぎないよう調整しやすくなるという特徴を有する。また、先に述べたように、特許文献２の凹凸部の形状は略垂直状であるので、咬合する力が一般的にあまり大きいとはいえない。実施例１である、見出し具（１２）においては、断面略円弧状（６）の雌部（７）としてある。そのため、咬合する力を適度に大きくすることができる。
【００３５】
次に、本発明の一実施形態である、実施例２である、見出し具（１２ａ）について記す。実施例２である、見出し具（１２ａ）は、実施例１である、見出し具（１２）において、図５、６にて、インデックス取付部材（１０）の端部（１１）に該第１帯状基部（３）を設けてインデックス（９）に該第２帯状基部（８）を設け、に代えて、インデックス取付部材（１０ａ）の端部（１１ａ）に該第２帯状基部（８ａ）を設けてインデックス（９ａ）に該第１帯状基部（３ａ）を設け、としてある。つまり、実施例２である、見出し具（１２ａ）は、頭部（１）を有する雄部（２）を第１帯状基部（３ａ）に一体的に設けてある。両先端（４）に爪部（５）（２２）を有する断面略円弧状（６）の雌部（７）を第２帯状基部（８ａ）に一体的に設けてある。該雄部（２）と該雌部（７）とが咬合する合成樹脂製の咬合部材（１３）（２０）として該雄部（２）と該雌部（７）とを設けてある。図１、２、４にて、インデックス（９ａ）を取付けられるインデックス取付部材（１０ａ）と該インデックス（９ａ）を合成樹脂製として設けてある。インデックス取付部材（１０ａ）の端部（１１ａ）に該第２帯状基部（８ａ）を設けてある。インデックス（９ａ）に該第１帯状基部（３ａ）を設けてある。また、実施例２である、見出し具（１２ａ）の作用について記す。図１、４、５、６にて、該雄部（２）と該雌部（７）とを咬合してインデックス取付部材（１０ａ）の上でインデックス（９ａ）を摺動させることにより任意の位置に移動あるいは停止できる。インデックス取付部材（１０ａ）とインデックス（９ａ）とを引き離すことにより咬合状態から解除できる。効果は、実施例１である、見出し具（１２）と同等である。
【００３６】
次に、本発明の一実施形態である、実施例３である、見出し具（１２ｂ）について記す。実施例３である、見出し具（１２ｂ）は、実施例１である、見出し具（１２）において、図７、８にて、前記両先端（４）に爪部（５）（２２）を有する断面略円弧状（６）の雌部（７）、に代えて、両先端（１４）に爪部（１５）（２２ｂ）を有する断面コ字状（１６）の雌部（１７）、としてある。つまり、全文を記載すると次のようになる。頭部（１ｂ）を有する雄部（２ｂ）を第１帯状基部（３ｂ）に一体的に設けてある。両先端（１４）に爪部（１５）（２２ｂ）を有する断面コ字状（１６）の雌部（１７）を第２帯状基部（８ｂ）に一体的に設けてある。該雄部（２ｂ）と該雌部（１７）とが咬合する合成樹脂製の咬合部材（１３ｂ）（２０ｂ）として該雄部（２ｂ）と該雌部（１７）とを設けてある。図１にて、インデックス（９ｂ）を取付けられるインデックス取付部材（１０ｂ）と該インデックス（９ｂ）を合成樹脂製として設けてある。インデックス取付部材（１０ｂ）の端部（１１ｂ）に該第１帯状基部（３ｂ）を設けてある。インデックス（９ｂ）に該第２帯状基部（８ｂ）を設けてある。また、実施例４である、見出し具（１２ｃ）についても同様にしてある。実施例４である、見出し具（１２ｃ）は、実施例２である、見出し具（１２ａ）において、図７、８にて、前記両先端（４）に爪部（５）（２２）を有する断面略円弧状（６）の雌部（７）、に代えて、両先端（１４）に爪部（１５）（２２ｂ）を有する断面コ字状（１６）の雌部（１７）、としてある。つまり、全文を記載すると次のようになる。頭部（１ｂ）を有する雄部（２ｂ）を第１帯状基部（３ｂ）に一体的に設けてある。両先端（１４）に爪部（１５）（２２ｂ）を有する断面コ字状（１６）の雌部（１７）を第２帯状基部（８ｂ）に一体的に設けてある。該雄部（２ｂ）と該雌部（１７）とが咬合する合成樹脂製の咬合部材（１３ｂ）（２０ｂ）として該雄部（２ｂ）と該雌部（１７）とを設けてある。図１にて、インデックス（９ｃ）を取付けられるインデックス取付部材（１０ｃ）と該インデックス（９ｃ）を合成樹脂製として設けてある。インデックス取付部材（１０ｃ）の端部（１１ｃ）に該第２帯状基部（８ｂ）を設けてある。インデックス（９ｃ）に該第１帯状基部（３ｂ）を設けてある。また、実施例３である、見出し具（１２ｂ）においては、実施例１である、見出し具（１２）と同様に次のようになっている。図７にて、爪部に相当する箇所または爪部が１５、２２ｂ、２３ｂ、２４ｂで計４箇所、凹凸部に代わる雌部または頭部が１７、２５ｂ、１ｂで計３箇所としてある。実施例４である、見出し具（１２ｃ）についても同様にしてある。つまり、爪部が、同文献２および本発明にて、各々４箇所であるにもかかわらず、凹凸部、および凹凸部に代わる雌部または頭部が、同文献２は６箇所、本発明は３箇所となっている。同文献２と比較して、本発明は３箇所減少している。以上から、同文献２は、製造工程が複雑になり、材料コストも増加し、インデクス取付構造（ホルダーまたはファイル）の大きさも大きくなってしまうという問題が発生する。つまり、実施例３である、見出し具（１２ｂ）、または、実施例４である、見出し具（１２ｃ）は、製造工程が簡易になり、材料コストを低減でき、インデックス（９ｂ）（９ｃ）およびインデックス取付部材（１０ｂ）（１０ｃ）の大きさも比較的大きくならずにすむ。また、同文献２のように、２組連接して凹凸部を設ける必要がないため、咬合（嵌合）する場合に凹凸部の２組を同時に咬合（嵌合）させる必要がなく、挿入等にかかる手間（嵌合する場合の手間）を軽減できる。以上のような顕著な効果を本発明は達成する。顕著な効果を達成する本発明の特徴について、前記特許文献１、２には何も記載がない。したがって、特許文献１、２に記載のものに基づいて本発明を当業者が容易になし得るものではないと確信する。また、上記以外の効果として、次に記す。インデックスの雄部雌部周辺が曲折する可能性を少なくでき、インデックスの雄部雌部が外れてしまう可能性を少なくすることができ、長手方向に対してインデックスが滑り落ちる可能性を低くすることができる。また、全体の厚さが分厚くならずにすむ。また、インデックスを追加しても、既にあるインデックスと新規のインデックスが重なるのを防ぎやすい。あるいは、前記追加する新規のインデックスのサイズや形に関係なく、インデックス同士が重なるのを防ぎやすい。また、前記追加する新規のインデックスを、同じ用紙の端部に複数追加しても同様の効果を得ることができる。また、咬合する力が大き過ぎず、あるいは、小さ過ぎないよう調整しやすくなる。
【００３７】
次に、本発明の一実施形態である、実施例５である、見出し具（１２ｄ）について記す。実施例５である、見出し具（１２ｄ）は、実施例１である、見出し具（１２）において、次のようにしてある。図５、６にて、前記雄部（２）の頭部（１）を、断面キノコ状（１８）としてある。または、前記雄部（２）の頭部（１）を、断面矢じり状（１９）としてある。なお、断面キノコ状（１８）と断面矢じり状（１９）は、その形状に大きな差異は特にない。また、実施例６である、見出し具（１２ｅ）についても同様にしてある。実施例６である、見出し具（１２ｅ）は、実施例２である、見出し具（１２ａ）において、次のようにしてある。図５、６にて、前記雄部（２）の頭部（１）を、断面キノコ状（１８）としてある。または、前記雄部（２）の頭部（１）を、断面矢じり状（１９）としてある。他の実施例についても同様にしてもよい。
【００３８】
また、次のようにしてもよい。インデックス（９）（９ａ）（９ｂ）（９ｃ）を取付けられるインデックス取付部材（１０）（１０ａ）（１０ｂ）（１０ｃ）と該インデックス（９）（９ａ）（９ｂ）（９ｃ）を合成樹脂製として設け、について、各々の材質として、ポリエチレン、ポリ塩化ビニル、ポリプロピレン等があげられるが他の合成樹脂等の材料を選択してもよい。
【００３９】
次に、本発明の一実施形態である、実施例７である、見出し具（１２ｆ）について記す。実施例７である、見出し具（１２ｆ）は、実施例１である、見出し具（１２）において、次のようにしてある。前記インデックス取付部材（１０）の端部（１１）に該第１帯状基部（３）を設けてインデックス（９）に該第２帯状基部（８）を設け、について、各々設ける場合に融着としてある。または、前記インデックス取付部材（１０）の端部（１１）に該第１帯状基部（３）を設けてインデックス（９）に該第２帯状基部（８）を設け、について、各々設ける場合に接着としてある。なお、インデックス取付部材（１０）にヒートシーラ等によって該第１帯状基部（３）を融着してある。溶着してある。熱接着してある。また、接着剤で接着してもよい。同様に、インデックス（９）にヒートシーラ等によって該第２帯状基部（８）を融着してある。また、実施例８である、見出し具（１２ｈ）についても同様にしてある。実施例８である、見出し具（１２ｈ）は、実施例２である、見出し具（１２ａ）において、次のようにしてある。前記インデックス取付部材（１０ａ）の端部（１１ａ）に該第２帯状基部（８ａ）を設けてインデックス（９ａ）に該第１帯状基部（３ａ）を設け、について、各々設ける場合に融着としてある。または、前記インデックス取付部材（１０ａ）の端部（１１ａ）に該第２帯状基部（８ａ）を設けてインデックス（９ａ）に該第１帯状基部（３ａ）を設け、について、各々設ける場合に接着としてある。なお、インデックス取付部材（１０ａ）にヒートシーラ等によって該第２帯状基部（８ａ）を融着してある。溶着してある。熱接着してある。また、接着剤で接着してもよい。同様に、インデックス（９ａ）にヒートシーラ等によって該第１帯状基部（３ａ）を融着してある。他の実施例についても同様にしてもよい。実施例７である、見出し具（１２ｆ）、または、実施例８である、見出し具（１２ｈ）の効果としては、以下が追加される。融着または接着とすることにより、インデックス（９）（９ａ）自体の厚さを薄くできる。
【００４０】
次に、本発明の一実施形態である、実施例９である、見出し具（１２ｊ）について記す。実施例９である、見出し具（１２ｊ）は、実施例１である、見出し具（１２）において、次のようにしてある。該雄部（２）と該雌部（７）とが咬合する合成樹脂製の咬合部材（１３）（２０）として該雄部（２）と該雌部（７）とを設け、に代えて、該雄部（２）と該雌部（７）とが咬合する軟質の合成樹脂製の咬合部材（１３）（２０）として該雄部（２）と該雌部（７）とを設け、としてある。つまり、全文を記載すると次のようになる。頭部（１）を有する雄部（２）を第１帯状基部（３）に一体的に設けてある。先端（４）に爪部（５）（２２）を有する断面略円弧状（６）の雌部（７）を第２帯状基部（８）に一体的に設けてある。該雄部（２）と該雌部（７）とが咬合する軟質の合成樹脂製の咬合部材（１３）（２０）として該雄部（２）と該雌部（７）とを設けてある。インデックス（９）を取付けられるインデックス取付部材（１０）と該インデックス（９）を合成樹脂製として設けてある。インデックス取付部材（１０）の端部（１１）に該第１帯状基部（３）を設けてある。インデックス（９）に該第２帯状基部（８）を設けてある。また、実施例１０である、見出し具（１２ｋ）についても同様にしてある。実施例１０である、見出し具（１２ｋ）は、実施例２である、見出し具（１２ａ）において、次のようにしてある。該雄部（２）と該雌部（７）とが咬合する合成樹脂製の咬合部材（１３）（２０）として該雄部（２）と該雌部（７）とを設け、に代えて、該雄部（２）と該雌部（７）とが咬合する軟質の合成樹脂製の咬合部材（１３）（２０）として該雄部（２）と該雌部（７）とを設け、としてある。つまり、全文を記載すると次のようになる。頭部（１）を有する雄部（２）を第１帯状基部（３ａ）に一体的に設けてある。先端（４）に爪部（５）（２２）を有する断面略円弧状（６）の雌部（７）を第２帯状基部（８ａ）に一体的に設けてある。該雄部（２）と該雌部（７）とが咬合する軟質の合成樹脂製の咬合部材（１３）（２０）として該雄部（２）と該雌部（７）とを設けてある。インデックス（９ａ）を取付けられるインデックス取付部材（１０ａ）と該インデックス（９ａ）を合成樹脂製として設けてある。インデックス取付部材（１０ａ）の端部（１１ａ）に該第２帯状基部（８ａ）を設けてある。インデックス（９ａ）に該第１帯状基部（３ａ）を設けてある。他の実施例についても同様にしてもよい。実施例９である、見出し具（１２ｊ）、または、実施例１０である、見出し具（１２ｋ）の効果としては、以下が追加される。先にも述べたように、一般的には、雄雌等の形状を有する部材において、両者が咬合する力（嵌合する力）は、咬合する箇所の相互の形状および材質に左右されやすい傾向があると述べられている。剛性が比較的低い合成樹脂を使用することにより、該雄部（２）と該雌部（７）とが咬合する場合の柔軟性が向上する。材質として、より具体的には、ホモポリプロピレン、ブロックポリプロピレン、ランダムポリプロピレン、プロピレンーエチレンーブテン１ランダム三元共重合体、ポリオレフィン系特殊軟質樹脂（ＴＰＯ樹脂）等の熱可塑性樹脂、エチレンープロピレン系共重合体、これらの樹脂を混合した混合物が考えられる。
【００４１】
次に、本発明の一実施形態である、実施例１１である、見出し具（１２ｎ）について記す。実施例１１である、見出し具（１２ｎ）は、実施例１である、見出し具（１２）において、次のようにしてある。図１にて、前記インデックス取付部材（１０）を、シート状（２１）としてある。また、実施例１２である、見出し具（１２ｑ）について同様にしてある。実施例１２である、見出し具（１２ｑ）は、実施例２である、見出し具（１２ａ）において、次のようにしてある。前記インデックス取付部材（１０ａ）を、シート状（２１ａ）としてある。他の実施例についても同様にしてもよい。
【００４２】
次に、本発明の一実施形態である、実施例１５である、見出し具（１２ｖ）について記す。実施例１５である、見出し具（１２ｖ）は、実施例１である、見出し具（１２）において、次のようにしてある。図９、１０にて、頭部（１ｖ）を有する雄部（２ｖ）を第１帯状基部（３ｖ）に一体的に設けてある。両先端（４ｖ）に爪部（５ｖ）（２２ｖ）を有する断面略円弧状（６ｖ）の雌部（７ｖ）を第２帯状基部（８ｖ）に一体的に設けてある。該雄部（２ｖ）と該雌部（７ｖ）とが咬合する合成樹脂製の咬合部材（１３ｖ）（２０ｖ）として該雄部（２ｖ）と該雌部（７ｖ）とを設けてある。インデックス（９）を取付けられるインデックス取付部材（１０）と該インデックス（９）を合成樹脂製として設けてある。インデックス取付部材（１０）の端部（１１）に該第１帯状基部（３ｖ）を設けてある。インデックス（９）に該第２帯状基部（８ｖ）を設けてある。また、実施例２である、見出し具（１２ａ）においても同様としてもよい。他の実施例についても同様にしてもよい。
【００４３】
次に、本発明の一実施形態である、実施例１６である、見出し具（１２ｗ）について記す。実施例１６である、見出し具（１２ｗ）は、実施例１である、見出し具（１２）において、次のようにしてある。図１１、１２にて、頭部（１ｗ）を有する雄部（２ｗ）を第１帯状基部（３ｗ）に一体的に設けてある。両先端（４ｗ）に爪部（５ｗ）（２２ｗ）を有する断面略円弧状（６ｗ）の雌部（７ｗ）を第２帯状基部（８ｗ）に一体的に設けてある。該雄部（２ｗ）と該雌部（７ｗ）とが咬合する合成樹脂製の咬合部材（１３ｗ）（２０ｗ）として該雄部（２ｗ）と該雌部（７ｗ）とを設けてある。インデックス（９）を取付けられるインデックス取付部材（１０）と該インデックス（９）を合成樹脂製として設けてある。インデックス取付部材（１０）の端部（１１）に該第１帯状基部（３ｗ）を設けてある。インデックス（９）に該第２帯状基部（８ｗ）を設けてある。また、実施例２である、見出し具（１２ａ）においても同様としてもよい。他の実施例についても同様にしてもよい。
【００４４】
また、次のようにしてもよい。実施例１である、見出し具（１２）において、次のようにしてもよい。図１にて、第１帯状基部（３）の両端にストッパー（２６）（２７）を設ける。第１帯状基部（３）の長手方向の両端にストッパー（２６）（２７）を設ける。第１帯状基部（３）の隅にインデックス（９）を移動した場合に、雄部（２）の上から雌部（７）が外れてしまうのを防止するためにストッパー（２６）（２７）を設ける。また、実施例２である、見出し具（１２ａ）おいて、特に図示しないが、同様にしてもよい。第２帯状基部（８ａ）の両端にストッパーを設ける。第２帯状基部（８ａ）の長手方向の両端にストッパーを設ける。他の実施例についても同様にしてもよい。
【００４５】
また、特に図示しないが、次のようにしてもよい。実施例１である、見出し具（１２）おいて、インデックス取付部材（１０）の端部（１１）に該第１帯状基部（３）を設け、に代えて、インデックス取付部材（１０）の端部（１１）に該第１帯状基部を断続的に設け、としてもよい。インデックス取付部材（１０）の端部（１１）に該第１帯状基部の長手方向にて該第１帯状基部を断続的に設け、としてもよい。断続的に設けることにより、材料コストが軽減できる。この場合、インデックス（９）に設けた該第２帯状基部（８）の長手方向の長さより、断続的に設けた第１帯状基部と第１帯状基部の間に発生した隙間の長さを短くする。こうすることにより、インデックス取付部材（１０）の上でインデックス（９）が外れたりすることなく使用可能となる。また、同様に次のようにしてもよい。実施例２である、見出し具（１２ａ）おいて、インデックス取付部材（１０ａ）の端部（１１ａ）に該第２帯状基部（８ａ）を設け、に代えて、インデックス取付部材（１０ａ）の端部（１１ａ）に該第２帯状基部を断続的に設け、としてもよい。インデックス取付部材（１０ａ）の端部（１１ａ）に該第２帯状基部の長手方向にて該第２帯状基部を断続的に設け、としてもよい。他の実施例についても同様にしてもよい。
【００４６】
また、特に図示しないが、次のようにしてもよい。実施例１である、見出し具（１２）において、次のようにしてもよい。前記インデックス取付部材（１０）を、収納部を有するシート状としてもよい。また、同様に、実施例２である、見出し具（１２ａ）において、次のようにしてもよい。前記インデックス取付部材（１０ａ）を、収納部を有するシート状としてもよい。他の実施例についても同様にしてもよい。また、次のようにしてもよい。実施例１である、見出し具（１２）において、次のようにしてもよい。市販の見出し用シール、その他シールをインデックス（９）に貼り付けて使用する。これにより、シールに明記した内容が変更となった場合は、シールを交換することで対応できる。また、次のようにしてもよい。市販の見出し用シールの形、サイズと同等にインデックス（９）を製作する。また、次のようにしてもよい。実施例１である、見出し具（１２）において、次のようにしてもよい。該インデックス（９）を合成樹脂製として設け、に代えて、該インデックス（９）を紙製として設け、とする。これにより、紙に明記した内容が変更となった場合は、筆記用具等で書き換えをすることで対応できる。インデックス（９）の材質として、合成樹脂、紙、繊維等があげられるが他の材料を選択してもよい。また、次のようにしてもよい。インデックス（９）を取付けられるインデックス取付部材（１０）を合成樹脂製として設け、に代えて、インデックス（９）を取付けられるインデックス取付部材（１０）を紙製として設け、とする。これにより、インデックス取付部材（１０）に筆記用具等で書き込みができる。インデックス取付部材（１０）の材質として、合成樹脂、紙、繊維等があげられるが他の材料を選択してもよい。他の実施例についても同様にしてもよい。
【００４７】
なお、先の出願に基づく優先権主張により当該出願を行うが、先の出願の明細書における、背景技術、発明が解決しようとする課題、発明の効果、発明を実施するための最良の形態、図面の簡単な説明、図面の各項については、補足分、あるいは、誤字、脱字による一部訂正を除き、原文はそのまま残して記載しておく。また、以下に記載する内容の文章と先の出願の内容の文章とが、一部重複する部分もあるがそのまま記載する。これより、以下について、発明を実施するための最良の形態の項についての補足を行う。
【００４８】
また、次に、下記の説明を行う前に図について記載しておく。先に記載した、同文献２の図４を部分拡大したもの（番号を一部追記）である本願の図１３、および、本願の図１３の断面図の斜線を省いた本願の図１４にて、次のようにしてある。同文献２において、図１３、１４にて、爪部は、６ｃ、６ｃ１、７ｃ、７ｃ１（番号を一部追記）で計４箇所となっている。また、同文献２の文中においては、凸部６ａ、６ｂ、７ａ、７ｂと記されていたので、そのまま番号を図１３、１４に追加した。同文献２の図４には凹部の番号が明記されていないので凹部は不明だが、図示されていることから、図１３、１４の６ａ１、６ｂ１（番号は追記）も凹凸部であることが理解される。結果、凹凸部は、６ａ、６ｂ、７ａ、７ｂ、６ａ１、６ｂ１の計６箇所で形成されていることになる。また、本願の図１４を利用して、下記についての説明を行うために寸法の記号を記載した本願の図４２を図示した。また、同様に、本願の図５を利用して、下記についての説明を行うために寸法の記号を記載した本願の図４３を図示した。
【００４９】
次に、実施例１、２、５、６である、見出し具の効果について、補足する。同文献２において、図４２にて、例えば、凸部７ａと７ｂ間等の寸法を各々Ａ、Ｂとする。同文献２は、爪部６ｃの寸法が寸法Ｂと寸法Ａとの差になる。先端の爪部６ｃが片側にしかなく、寸法Ｂと寸法Ａとの差だけしか生じないので、凸部７ａと７ｂ間にて凸部６ａが嵌合されている状態から抜け出そうとする場合、抜け出しやすいという問題がある。また、例えば、抜け出しを防止するため、寸法Ｂを長く設けても、挿入する際の寸法Ａが逆に障害となり、挿入しづらく、結果、抜け出しを防止するために寸法Ｂを長く設けることは難しい。また、寸法Ｂを長く設けた後に、仮に、寸法Ａを長く設けたとしても抜け出しやすくなるので改善されない。よって、寸法Ｂを長く設けることは難しいので、図１４にて、例えば、爪部６ｃと爪部７ｃ１との相互の接触面積も広くすることは難しくなるので、相互の密接度もあまり高くすることはできず、咬合する力（嵌合する力）は大きいとはいえない。前記に関して、実施例１である、見出し具（１２）について記す。図４３にて、実施例１である、見出し具（１２）において、雄部（２）の頭部（１）の寸法をＪ、雌部（７）の爪部（５）（２２）間の寸法をＫとする。寸法Ｊと寸法Ｋとの差が少なくないので、雄部（２）と雌部（７）が係合している状態から抜け出そうとする場合、文献２と比較して、簡単には外れにくいといえる。なお、雄部（２）の挿入に支障をきたさないように、雄部（２）を、断面キノコ状、または、断面矢じり状としてある。よって、抜け出しを防止するための寸法差を大きくできる。よって、雄部（２）と雌部（７）の相互の接触面積も比較的広くできるので、同文献２と比べて、相互の密接度も高くでき、咬合する力（嵌合する力）も比較的大きくできる。
【００５０】
また、同文献２において、特に図示しないが、７ａ、７ｂ等のストリップ部材に対して、６ａ、６ｂ等の見出し部材の向きを反対にしてしまった場合、嵌合できないという問題がある。例えば、製造設備あるいは作業等にて、反対にしてしまった場合に嵌合できず、失敗してしまうという不安を拭うことができないという問題がある。しかし、例えば、実施例１である、見出し具（１２）によれば、雄部（２）と雌部（７）の向きを反対にしてしまっても、係合可能である。よって、製造設備あるいは作業等にて、インデックス取付部材（１０）に対してインデックス（９）の向きを反対にしてしまった場合に嵌合できず、失敗してしまうという不安を拭うことができない、ということはない。
【００５１】
次に、実施例１７である、見出し具（１２ｘ）について記す。なお、実施例１７である、見出し具（１２ｘ）は、実施例１である、見出し具（１２）にて、第１帯状基部（３）、第２帯状基部（８）を設けていない例である。図１５、１６にて、頭部（１）を有する雄部（２）を設けてある。両先端（４）に爪部（５）（２２）を有する断面略円弧状（６）の雌部（７）を設けてある。該雄部（２）と該雌部（７）とが咬合する合成樹脂製の咬合部材（１３）（２０）として該雄部（２）と該雌部（７）とを設けてある。図１、３７にて、インデックス（９）を取付けられるインデックス取付部材（１０）と該インデックス（９）とを設けてある。インデックス取付部材（１０）に該雄部（２）を設けてある。インデックス（９）に該雌部（７）を設けてある。
【００５２】
次に、実施例１７である、見出し具（１２ｘ）の作用について記す。図１、１５、１６、３７にて、該雄部（２）と該雌部（７）とを咬合してインデックス取付部材（１０）の上でインデックス（９）を摺動させることにより任意の位置に移動あるいは停止できる。インデックス取付部材（１０）とインデックス（９）とを引き離すことにより咬合状態から解除できる。
【００５３】
また、実施例１７である、見出し具（１２ｘ）について、言い換えると、次のようにしてある。頭部（１）を有する雄部（２）、に代えて、鍔部（３２）を有する雄部（２）、としてある。つまり、次のようにしてある。図１５、１６にて、鍔部（３２）を有する雄部（２）を設けてある。両先端（４）に爪部（５）（２２）を有する断面略円弧状（６）の雌部（７）を設けてある。合成樹脂製の部材として該雄部（２）と該雌部（７）とを設けてある。インデックス（９）を取付けられるインデックス取付部材（１０）と該インデックス（９）とを設けてある。インデックス取付部材（１０）に該雄部（２）を設けてある。インデックス（９）に該雌部（７）を設けてある。
【００５４】
また、実施例１７である、見出し具（１２ｘ）の作用について、言い換えると、次のようにしてある。図１、１５、１６、３７にて、雄部（２）と雌部（７）とを対向させる。雄部（２）と雌部（７）とを押圧することにより、爪部（５）（２２）に挿入する鍔部（３２）によって弾性変形する該爪部（５）（２２）を該鍔部（３２）が通過する。通過して、雌部（７）への雄部（２）の挿入を許容する。許容し、爪部（５）（２２）を鍔部（３２）が通過した後で復元した該爪部（５）（２２）により該鍔部（３２）を係止して戻り方向（矢印Ｍ）への雄部（２）の移動を規制する。規制し、雄部（２）と雌部（７）とが係合する。該雄部（２）と該雌部（７）とが係合し、インデックス取付部材（１０）の上でインデックス（９）を摺動させることにより任意の位置に移動あるいは停止できる。係合した該雄部（２）と該雌部（７）にて、雄部（２）と雌部（７）とを引っ張って、インデックス取付部材（１０）とインデックス（９）とを引き離そうとする。引き離そうとすることにより、鍔部（３２）によって押圧され弾性変形する爪部（５）（２２）から該鍔部（３２）が戻り方向（矢印Ｍ）へ移動する。移動して、係合状態から解除できる。
【００５５】
また、実施例１７である、見出し具（１２ｘ）について次のようにしてある。前記インデックス取付部材（１０）と前記インデックス（９）とを合成樹脂製として設けてある。前記鍔部（３２）を有する雄部（２）、にて、柱状部（３３）の先端（３４）に設けた前記鍔部（３２）と該柱状部（３３）とを有する雄部（２）、としてある。あるいは、前記頭部（１）を有する雄部（２）、にて、柱状部（３３）の先端（３４）に設けた前記頭部（１）と該柱状部（３３）とを有する雄部（２）、としてある。前記雄部（２）を、断面キノコ状（１８）としてある。または、断面矢じり状（１９）としてある。
【００５６】
また、次のようにしてある。実施例１７である、見出し具（１２ｘ）において、次のようにしてある。図１、３４にて、前記インデックス取付部材（１０）に設けた前記雄部（２）、にて、前記雄部（２）の長手方向（矢印Ｎ）の端部（２８）（２９）にストッパー（２６）（２７）を設けてある。前記インデックス（９）を移動した場合に、前記インデックス取付部材（１０）から前記インデックス（９）が脱落するのを防止する。以上について、他の実施例についても、実施例１７である、見出し具（１２ｘ）と同様にしてもよい。以上までについて、実施例１７である、見出し具（１２ｘ）の効果は、実施例１である、見出し具（１２）と同等程度であるが、実施例１である、見出し具（１２）と比べて、第１帯状基部（３）、第２帯状基部（８）を設けていないのでコストの低減がはかれる。また、前記インデックス取付部材（１０）と前記インデックス（９）とを合成樹脂製として設けることにより、合成樹脂製の部材として該雄部（２）と該雌部（７）とを設けてあることなどと含めて考慮すると、同じ傾向の材料を使用するので加工する場合の効率性のアップが望める。なお、前記インデックス取付部材（１０）の端部（１１）に前記雄部（２）を設けてある。
【００５７】
次に、実施例１８である、見出し具（１２ｙ）について記す。なお、実施例１８である、見出し具（１２ｙ）は、実施例２である、見出し具（１２ａ）にて、第１帯状基部（３ａ）、第２帯状基部（８ａ）を設けていない例である。実施例１８である、見出し具（１２ｙ）は、実施例１７である、見出し具（１２ｘ）において、次のようにしてある。図１５、１６にて、インデックス取付部材（１０）に該雄部（２）を設けてインデックス（９）に該雌部（７）を設け、に代えて、インデックス取付部材（１０ａ）に該雌部（７）を設けてインデックス（９ａ）に該雄部（２）を設け、としてある。つまり、次のようになる。実施例１８である、見出し具（１２ｙ）は、頭部（１）を有する雄部（２）を設けてある。両先端（４）に爪部（５）（２２）を有する断面略円弧状（６）の雌部（７）を設けてある。該雄部（２）と該雌部（７）とが咬合する合成樹脂製の咬合部材（１３）（２０）として該雄部（２）と該雌部（７）とを設けてある。図１、１５、１６、３５、３６にて、インデックス（９ａ）を取付けられるインデックス取付部材（１０ａ）と該インデックス（９ａ）とを設けてある。インデックス取付部材（１０ａ）に該雌部（７）を設けてある。インデックス（９ａ）に該雄部（２）を設けてある。図１、３３にて、前記インデックス取付部材（１０ａ）に設けた前記雌部（７）、にて、前記雌部（７）の長手方向（矢印Ｎ）の端部（２８ａ）（２９ａ）にストッパー（３７）（３８）を設けてある。
【００５８】
また、実施例１８である、見出し具（１２ｙ）について、実施例１７と同様に言い換えると、次のようになる。実施例１８である、見出し具（１２ｙ）は、頭部（１）を有する雄部（２）、に代えて、鍔部（３２）を有する雄部（２）、としてある。つまり、次のようにしてある。実施例１８である、見出し具（１２ｙ）は、図１５、１６にて、鍔部（３２）を有する雄部（２）を設けてある。両先端（４）に爪部（５）（２２）を有する断面略円弧状（６）の雌部（７）を設けてある。合成樹脂製の部材として該雄部（２）と該雌部（７）とを設けてある。図１、１５、１６、３５、３６にて、インデックス（９ａ）を取付けられるインデックス取付部材（１０ａ）と該インデックス（９ａ）とを設けてある。インデックス取付部材（１０ａ）に該雌部（７）を設けてある。インデックス（９ａ）に該雄部（２）を設けてある。
【００５９】
また、実施例１８である、見出し具（１２ｙ）について次のようにしてある。前記インデックス取付部材（１０ａ）と前記インデックス（９ａ）とを合成樹脂製として設けてある。前記鍔部（３２）を有する雄部（２）、にて、柱状部（３３）の先端（３４）に設けた前記鍔部（３２）と該柱状部（３３）とを有する雄部（２）、としてある。あるいは、前記頭部（１）を有する雄部（２）、にて、柱状部（３３）の先端（３４）に設けた前記頭部（１）と該柱状部（３３）とを有する雄部（２）、としてある。前記雄部（２）を、断面キノコ状（１８）としてある。または、断面矢じり状（１９）としてある。他の実施例についても、実施例１８である、見出し具（１２ｙ）と同様にしてもよい。以上までについて、実施例１８である、見出し具（１２ｙ）の効果は、実施例２である、見出し具（１２ａ）と同等程度であるが、実施例２である、見出し具（１２ａ）と比べて、第１帯状基部（３ａ）、第２帯状基部（８ａ）を設けていないのでコストの低減がはかれる。また、前記インデックス取付部材（１０ａ）と前記インデックス（９ａ）とを合成樹脂製として設けることにより、合成樹脂製の部材として該雄部（２）と該雌部（７）とを設けてあることなどと含めて考慮すると、同じ傾向の材料を使用するので加工する場合の効率性のアップが望める。なお、前記インデックス取付部材（１０ａ）の端部（１１ａ）に前記雌部（７）を設けてある。
【００６０】
次に、実施例１９である、見出し具（１２ｚ）について記す。なお、当該出願に記載の用語の意味について一部、記載しておく。広辞苑によれば、インデックスとは、１、見出し、２、指標、とある。指標とは、物事の見当をつけるための、めじるし、とある。つまり、当該出願にて、各々の実施例に記載のインデックスは、見出し、であり、指標、であって、そのどちらか一方に限定するものでは特にない。実施例１９である、見出し具（１２ｚ）は、次のようにしてある。図１７〜１９にて、頭部を有する雄部を設けてある。両先端に爪部を有する断面略円弧状の雌部（７ｚ）を設けてある。該雄部と該雌部（７ｚ）とが咬合する合成樹脂製の咬合部材として該雄部と該雌部（７ｚ）とを設けてある。インデックス（９ｚ）を取付けられるインデックス取付部材（１０ｚ）と該インデックス（９ｚ）とを設けてある。第１帯状基部に前記雄部を一体的に設けてある。前記インデックス（９ｚ）に該第１帯状基部を設けてある。第２帯状基部に前記雌部（７ｚ）を一体的に設けてある。前記インデックス取付部材（１０ｚ）に該第２帯状基部を設けてある。前記インデックス取付部材（１０ｚ）をシート状（２１ｚ）としてある。シート状（２１ｚ）の前記インデックス取付部材（１０ｚ）の裏面に接着剤を塗布してある。インデックス取付部材（１０ｚ）をファイル用の仕切用紙（４７）に貼り付けてある。進行状況、％、０、５０、１００、各目盛の文字または数字等は、インデックス取付部材（１０ｚ）にあらかじめ印字してある。インデックス取付部材（１０ｚ）の上にて、インデックス（９ｚ）を摺動させることにより、０、５０、１００と記載された目盛の任意の位置にインデックス（９ｚ）を移動あるいは停止できる。インデックス（９ｚ）の形状はペン先状としてある。針状としてもよい。また、効果としては、他の実施例と同程度であるが、さらに、次のようになる。具体的に例をあげての効果を記載すると次のようになる。ファイル、バインダー等に綴じてあるものにおいて、その内容の進捗状況、在庫状況等をタイムリーに表示しようとする場合、その都度、手書きで表示したり、状況を記載したものを貼り付けたりすることなく、ほとんど手間を必要とせず、明確に表示することができる。なお、一例を記載したが、他の事柄、活用方法等にも応用できる。
【００６１】
次に、実施例２０である、見出し具（１２ａｚ）について記す。なお、実施例２０〜２３である、見出し具は、実施例１９である、見出し具（１２ｚ）と同様に次のようにしてある。頭部を有する雄部を設けてある。両先端に爪部を有する断面略円弧状の雌部を設けてある。該雄部と該雌部とが咬合する合成樹脂製の咬合部材として該雄部と該雌部とを設けてある。インデックスを取付けられるインデックス取付部材と該インデックスとを設けてある。第１帯状基部に前記雄部を一体的に設けてある。前記インデックスに該第１帯状基部を設けてある。第２帯状基部に前記雌部を一体的に設けてある。前記インデックス取付部材に該第２帯状基部を設けてある。実施例２０である、見出し具（１２ａｚ）は、次のようにしてある。図２０〜２２にて、前記インデックス取付部材（１０ａｚ）をシート状（２１ａｚ）としてある。シート状（２１ａｚ）であるファイル用の仕切用紙（４７ａｚ）を、インデックス取付部材（１０ａｚ）としてある。表示の各目盛のみをあらかじめ印字してある。進行状況、％、０、５０、１００の文字または数字等は、印字シール（例えば、テプラ）をあとで貼り付けた。表示の各目盛のみをあらかじめ印字して、文字、数字等をあとで自由に記すことができるようにしてある。手書きで記載してもよい。また、効果としては、実施例１９である、見出し具（１２ｚ）と同程度である。
【００６２】
次に、実施例２１である、見出し具（１２ｂｚ）について記す。実施例２１である、見出し具（１２ｂｚ）は、次のようにしてある。図２３〜２５にて、インデックス取付部材（１０ｂｚ）をシート状（２１ｂｚ）としてある。シート状（２１ｂｚ）の前記インデックス取付部材（１０ｂｚ）の裏面に接着剤を塗布してある。インデックス取付部材（１０ｂｚ）をトレイ（３９）に貼り付けてある。表示の各目盛のみをあらかじめ印字してある。在庫、残％、０、５０、１００の文字または数字等は、印字シール（例えば、テプラ）をあとで貼り付けた。表示の各目盛のみをあらかじめ印字して、文字、数字等をあとで自由に記すことができるようにしてある。手書きで記載してもよい。また、効果としては、他の実施例と同程度であるが、さらに、次のようになる。袋、ホルダー、トレイ、ボックスファイル等に収納してあるものにおいて、その内容の進捗状況、在庫状況等をタイムリーに表示しようとする場合、その都度、手書きで表示したり、状況を記載したものを貼り付けたりすることなく、ほとんど手間を必要とせず、明確に表示することができる。
【００６３】
次に、実施例２２である、見出し具（１２ｃｚ）について記す。実施例２２である、見出し具（１２ｃｚ）は、実施例２１である、見出し具（１２ｂｚ）の一部を次のようにしてある。インデックス取付部材をトレイとしてある。図２６、２７にて、表示の各目盛のみをあらかじめ印字してある。在庫、残％、０、５０、１００の文字または数字等を記載した表示板（３１）を収納部（３６）に収納するように設けてある。収納部（３６）は、前記インデックス取付部材に設けてある。収納部（３６）は、透明の小袋状としてある。表示板（３１）を変更することにより自由に内容を設定できる。また、効果としては、実施例２１である、見出し具（１２ｂｚ）と同程度である。
【００６４】
次に、実施例２３である、見出し具（１２ｄｚ）について記す。なお、当該出願に記載の用語の意味について一部、記載しておく。広辞苑によれば、袋とは、中に物を入れて、口をとじるようにした入れ物、とある。よって、当該出願にて、袋状とは、中に物を入れて、口をとじるようにした入れ物状、を述べている。実施例２３である、見出し具（１２ｄｚ）は、次のようにしてある。図２８〜３０にて、インデックス取付部材（１０ｄｚ）を袋状（３０）としてある。袋状（３０）は、プラスチックファスナーの袋としてある。第２帯状基部に前記雌部（７ｄｚ）（７ｄｚａ）を一体的に設けてある。前記インデックス取付部材（１０ｄｚ）に該第２帯状基部を設けてある。つまり、第２帯状基部を有する前記雌部（７ｄｚ）（７ｄｚａ）をインデックス取付部材（１０ｄｚ）に２列設けてある。効果としては次のようになる。前記雌部（７ｄｚ）（７ｄｚａ）を２列設けてあるため、１列の時と比べて、咬合する力（嵌合する力）は合計されて比較的大きいものとなっている。そのため、インデックス（９ｄｚ）またはインデックス取付部材（１０ｄｚ）に手等が接触等した場合でも、インデックス取付部材（１０ｄｚ）からインデックス（９ｄｚ）が外れてしまう可能性をさらに少なくすることができる。また、咬合する力が比較的大きいため、インデックス取付部材（１０ｄｚ）の、摺動可能な、長手（レール）方向に対して、インデックス（９ｄｚ）が同じ場所にとどまるのに必要とする一定の摩擦抵抗も、比較的大きくすることができる。よって、長手（レール）方向を縦にして立てた場合でも、インデックス取付部材（１０ｄｚ）等に振動等を与えた時に、インデックス取付部材（１０ｄｚ）からインデックス（９ｄｚ）が滑り落ちる可能性を低くすることができる。なお、前記インデックス取付部材を開口部を有する袋状としてもよい。また、効果としては、他の実施例と同程度であるが、さらに、次のようになる。具体的に例をあげての効果を記載すると次のようになる。物を収納した袋等について、法人内等の同じグループ間で頻繁に運搬する場合、相手先のグループ名等を表示しようとする時、その表示をするために表示物の変更を毎回行う必要がなく、表示物の付け替え等に手間を要するということがなく、ほとんど手間を必要とせず、明確に表示することができる。なお、一例を記載したが、他の事柄、活用方法等にも応用できる。
【００６５】
次に、実施例２４である、見出し具（１２ｅｚ）について記す。図３８〜３９にて、頭部を有する雄部を設けてある。両先端に爪部を有する断面略円弧状の雌部（７ｅｚ）を設けてある。該雄部と該雌部（７ｅｚ）とが咬合する合成樹脂製の咬合部材として該雄部と該雌部（７ｅｚ）とを設けてある。インデックスを取付けられるインデックス取付部材と該インデックス（９ｅｚ）とを設けてある。第１帯状基部に前記雄部を一体的に設けてある。インデックス（９ｅｚ）に該第１帯状基部を設けてある。第２帯状基部に前記雌部（７ｅｚ）を一体的に設けてある。インデックス取付部材に該第２帯状基部を設けてある。インデックス取付部材を掲示物に貼り付けてある。前記雌部（７ｅｚ）を円形状に設けてある。前記インデックス（９ｅｚ）を円形状に設け、一部を切り抜いてある。インデックス取付部材に対してインデックス（９ｅｚ）が回転するように設けてある。また、効果としては、他の実施例と同程度であるが、さらに、次のようになる。表示しようとする場合、その一部のみを限定して表示でき、ほとんど手間を必要とせず、明確に表示することができる。なお、一例を記載したが、他の事柄、活用方法等にも応用できる。
【００６６】
また、各々の実施例である、実施例１９、２０、２３の見出し具について、特に図示しないが、次のようにしてもよい。前記インデックス取付部材に前記雌部を設け、について、前記インデックス取付部材の下部または中央部に前記雌部を設けてあるが、前記インデックス取付部材の上部に前記雌部を設けてもよく、設ける箇所は特に限定するものではない。また、次のようにしてもよい。前記シート状には、スケジュール表、カレンダー等を含んでもよい。また、インデックス取付部材であるファイルの表紙または背表紙を使用して、見出し具を配置してもよい。
【００６７】
次に、実施例２５である、見出し具（１２ｆｚ）について記す。実施例２５である、見出し具（１２ｆｚ）は、実施例１である、見出し具（１２）において、次のようにしてある。図４０〜４１にて、雌（４０）である孔（４１）をインデックス（９ｆｚ）に設けてある。雄（４２）である突起（４３）をインデックス取付部材（１０ｆｚ）に設けてある。効果を追記すると、次のようになる。前記雌（４０）と前記雄（４２）を係合することにより、インデックス取付部材（１０ｆｚ）にインデックス（９ｆｚ）を所定の位置に確実に固定することができる。また、次のようにしてもよい。雄である突起をインデックス（９ｆｚ）に設け、雌である孔をインデックス取付部材（１０ｆｚ）に設けてもよい。
【００６８】
次に、実施例２６である、見出し具（１２ｈｚ）について記す。図４４にて、雄部を第１帯状基部に一体的に設けてある。雌部（７ｈｚ）（７ｈｚａ）を第２帯状基部に一体的に設けてある。該雄部と該雌部（７ｈｚ）（７ｈｚａ）とが咬合する合成樹脂製の咬合部材として該雄部と該雌部（７ｈｚ）（７ｈｚａ）とを設けてある。インデックス（９ｈｚ）を取付けられるインデックス取付部材（１０ｈｚ）と該インデックス（９ｈｚ）とを設けてある。インデックス取付部材（１０ｈｚ）に該第２帯状基部を設けてある。つまり、第２帯状基部を有する前記雌部（７ｈｚ）（７ｈｚａ）をインデックス取付部材（１０ｈｚ）に２列設けてある。インデックス（９ｈｚ）に該第１帯状基部を設けてある。インデックス取付部材（１０ｈｚ）を袋状としてある。袋状は、クリアフィルムの袋としてある。上面および側面の挿入口（４４）をめくって紙等を挿入できるように設けてある。インデックス（９ｈｚ）に、文字等をあらかじめ印字しておいてもよい。手書きで記載してもよい。また、効果としては、他の実施例である、見出し具と同程度であるが、さらに、次のようになる。該雄部と該雌部とを咬合して、文章などが印刷された紙をクリアフィルムの袋に挿入して、インデックス取付部材（１０ｈｚ）の上でインデックス（９ｈｚ）を摺動させることにより任意の位置に移動あるいは停止でき、行毎に文章等を目で追うことが容易となる。また、パソコンの脇等に吊るす場合でも軽量なので負荷が少なくて利便性が高い。
【００６９】
次に、実施例２７である、見出し具（１２ｊｚ）について記す。図４５にて、雄部を第１帯状基部に一体的に設けてある。雌部（７ｊｚ）を第２帯状基部に一体的に設けてある。該雄部と該雌部（７ｊｚ）とが咬合する合成樹脂製の咬合部材として該雄部と該雌部（７ｊｚ）とを設けてある。インデックス（９ｊｚ）を取付けられるインデックス取付部材（１０ｊｚ）と該インデックス（９ｊｚ）とを設けてある。インデックス取付部材（１０ｊｚ）に該第２帯状基部を設けてある。インデックス（９ｊｚ）に該第１帯状基部を設けてある。第２取付部材（４６）にインデックス取付部材（１０ｊｚ）を設けてある。第２取付部材（４６）にインデックス取付部材（１０ｊｚ）を設け、について、各々設ける場合に融着（４５）としてある。あるいは、接着としてもよい。選択的に、部分的に、融着（４５）としてある。また、効果としては、他の実施例である、見出し具と同程度であるが、さらに、次のようになる。融着の加工技術のレベルがあまり高くない業者において、雌部（７ｊｚ）を設けた第２帯状基部をインデックス取付部材（１０ｊｚ）に配置するのが難しい場合に、雌部（７ｊｚ）を設けた第２帯状基部を配置したインデックス取付部材（１０ｊｚ）を他の加工業者から仕入れて、第２取付部材（４６）にインデックス取付部材（１０ｊｚ）を設けることにより、２次加工が比較的容易にできる。
【００７０】
また、各々の実施例である、見出し具において、前記雄部の長手方向（矢印Ｎ）の端部、あるいは、前記雌部の長手方向（矢印Ｎ）の端部、にストッパーを設けていない場合の実施例は、次のような効果がある。インデックス取付部材とインデックスとを引き離さなくても、長手方向（矢印Ｎ）の端部からインデックスを滑らせれば抜き取れるので、咬合状態から解除できる。また、長手方向（矢印Ｎ）の端部からインデックスを挿入できるので、雄部と雌部とを押圧して咬合する必要もなくなる。
【００７１】
また、実施例１である、見出し具（１２）、あるいは、実施例２である、見出し具（１２ａ）について、一部重複するが補足しておく。実施例１である、見出し具（１２）は、実施例１７である、見出し具（１２ｘ）にて、次のようにしてある。実施例１である、見出し具（１２）は、実施例１７である、見出し具（１２ｘ）にて、インデックス取付部材（１０）に該雄部（２）を設け、に代えて、インデックス取付部材（１０）に該第１帯状基部（３）を設け、としてある。実施例１である、見出し具（１２）は、実施例１７である、見出し具（１２ｘ）にて、インデックス（９）に該雌部（７）を設け、に代えて、インデックス（９）に該第２帯状基部（８）を設け、としてある。つまり、次のようにしてある。第１帯状基部（３）に前記雄部（２）を一体的に設けてある。インデックス取付部材（１０）に該第１帯状基部（３）を設けてある。第２帯状基部（８）に前記雌部（７）を一体的に設けてある。前記インデックス（９）に該第２帯状基部（８）を設けてある。インデックス取付部材（１０）に該第１帯状基部（３）を設け、について、設ける場合に融着としてある。前記インデックス（９）に該第２帯状基部（８）を設け、について、設ける場合に融着としてある。あるいは、インデックス取付部材（１０）に該第１帯状基部（３）を設け、について、設ける場合に接着としてある。前記インデックス（９）に該第２帯状基部（８）を設け、について、設ける場合に接着としてある。図１、３２にて、前記インデックス取付部材（１０）に設けた前記第１帯状基部（３）の前記雄部（２）にて、前記雄部（２）の長手方向（Ｎ）の端部（２８）（２９）にストッパー（２６）（２７）を設けてある。効果として、前記インデックス（９）を移動した場合に、前記インデックス取付部材（１０）から前記インデックス（９）が脱落するのを防止する。
【００７２】
また、実施例２である、見出し具（１２ａ）について次のようにしてある。実施例２である、見出し具（１２ａ）は、実施例１８である、見出し具（１２ｙ）にて、インデックス取付部材（１０ａ）に該雌部（７）を設け、に代えて、インデックス取付部材（１０ａ）に該第２帯状基部（８ａ）を設け、としてある。実施例２である、見出し具（１２ａ）は、実施例１８である、見出し具（１２ｙ）にて、インデックス（９ａ）に該雄部（２）を設け、に代えて、インデックス（９ａ）に該第１帯状基部（３ａ）を設け、としてある。つまり、次のようにしてある。第２帯状基部（８ａ）に前記雌部（７）を一体的に設けてある。前記インデックス取付部材（１０ａ）に該第２帯状基部（８ａ）を設けてある。第１帯状基部（３ａ）に前記雄部（２）を一体的に設けてある。前記インデックス（９ａ）に該第１帯状基部（３ａ）を設けてある。前記インデックス（９ａ）に該第１帯状基部（３ａ）を設け、について、設ける場合に融着としてある。前記インデックス取付部材（１０ａ）に該第２帯状基部（８ａ）を設け、について、設ける場合に融着としてある。前記インデックス（９ａ）に該第１帯状基部（３ａ）を設け、について、設ける場合に接着としてある。前記インデックス取付部材（１０ａ）に該第２帯状基部（８ａ）を設け、について、設ける場合に接着としてある。図１、３１にて、前記インデックス取付部材（１０ａ）に設けた前記第２帯状基部（８ａ）の前記雌部（７）にて、前記雌部（７）の長手方向（Ｎ）の端部（２８ａ）（２９ａ）にストッパー（３７）（３８）を設けてある。効果として、前記インデックス（９ａ）を移動した場合に、前記インデックス取付部材（１０ａ）から前記インデックス（９ａ）が脱落するのを防止する。
【００７３】
また、実施例５である、見出し具（１２ｄ）について次のようにしてある。前記雄部（２）を、断面キノコ状（１８）としてある。あるいは、前記雄部（２）を、断面矢じり状（１９）としてある。
【００７４】
また、各々の実施例について、特に図示しないが、次のようにしてもよい。インデックス、インデックス取付部材の材質にて、合成樹脂等を重ねたラミネートとしてもよい。また、インデックスに文字などを書き込む場合に、書きやすくするため、書いた内容が消えにくくするため、あるいは、書いた内容が見やすくなるように、インデックス、インデックス取付部材に表面加工してもよい。書いた内容が見やすくなるように、配色してもよい。また、インデックス取付部材に書き込んだ、または、インデックス取付部材に印刷した文字が見えるように、インデックスに小窓等を設けて、枠状にしてもよい。また、インデックスを移動させる場合にはインデックスを指等で摘んで移動させることから、インデックスの材質については、耐久性の高い硬質系の合成樹脂としてもよい。また、インデックスを指等で摘んで移動させることから、インデックスの一部に滑り止めの突起等を設けて、指等で摘んだ時に滑るのを防止するようにしてもよい。
【図面の簡単な説明】
【００７５】
【図１】実施例１、２、１１、１２、１７、１８の見出し具の斜視図。
【図２】実施例２の部分拡大斜視図。
【図３】実施例１の部分拡大斜視図。
【図４】実施例２の部分拡大斜視図。
【図５】実施例１、２、５、６の部分拡大断面図。
【図６】実施例１、２、５、６の部分拡大断面図。
【図７】実施例３、４の部分拡大断面図。
【図８】実施例３、４の部分拡大断面図。
【図９】実施例１５の部分拡大断面図。
【図１０】実施例１５の部分拡大断面図。
【図１１】実施例１６の部分拡大断面図。
【図１２】実施例１６の部分拡大断面図。
【図１３】特許文献２の部分拡大断面図。
【図１４】特許文献２の部分拡大断面図。
【図１５】実施例１７、１８の部分拡大断面図。
【図１６】実施例１７、１８の部分拡大断面図。
【図１７】実施例１９の見出し具の斜視図。
【図１８】実施例１９の見出し具の拡大正面図。
【図１９】実施例１９の見出し具の拡大正面図。
【図２０】実施例２０の見出し具の斜視図。
【図２１】実施例２０の見出し具の部分拡大正面図。
【図２２】実施例２０の見出し具の部分拡大正面図。
【図２３】実施例２１の見出し具の斜視図。
【図２４】実施例２１の見出し具の拡大正面図。
【図２５】実施例２１の見出し具の拡大正面図。
【図２６】実施例２２の見出し具の部分拡大正面図。
【図２７】実施例２２の見出し具の部分拡大正面図。
【図２８】実施例２３の見出し具の斜視図。
【図２９】実施例２３の見出し具の部分拡大正面図。
【図３０】実施例２３の見出し具の部分拡大正面図。
【図３１】実施例２の部分拡大断面図。
【図３２】実施例１の部分拡大断面図。
【図３３】実施例１８の部分拡大断面図。
【図３４】実施例１７の部分拡大断面図。
【図３５】実施例１８の部分拡大斜視図。
【図３６】実施例１８の部分拡大斜視図。
【図３７】実施例１７の部分拡大斜視図。
【図３８】実施例２４の見出し具の部分拡大正面図。
【図３９】実施例２４の見出し具の部分拡大正面図。
【図４０】実施例２５の見出し具の斜視図。
【図４１】実施例２５の見出し具の部分拡大斜視図。
【図４２】特許文献２の部分拡大断面図。
【図４３】実施例１、２、５、６の部分拡大断面図。
【図４４】実施例２６の見出し具の斜視図。
【図４５】実施例２７の見出し具の斜視図。
【００７６】
（１）        頭部
（２）        雄部
（３）        第１帯状基部
（４）        先端
（５）        爪部
（６）        断面略円弧状
（７）        雌部
（８）        第２帯状基部
（９）        インデックス
（１０）      インデックス取付部材
（１１）      端部
（１２）      見出し具、実施例１
（１２ａ）    見出し具、実施例２
（１２ｂ）    見出し具、実施例３
（１２ｃ）    見出し具、実施例４
（１２ｄ）    見出し具、実施例５
（１２ｅ）    見出し具、実施例６
（１２ｆ）    見出し具、実施例７
（１２ｈ）    見出し具、実施例８
（１２ｊ）    見出し具、実施例９
（１２ｋ）    見出し具、実施例１０
（１２ｎ）    見出し具、実施例１１
（１２ｑ）    見出し具、実施例１２
（１２ｖ）    見出し具、実施例１５
（１２ｗ）    見出し具、実施例１６
（１２ｘ）    見出し具、実施例１７
（１２ｙ）    見出し具、実施例１８
（１２ｚ）    見出し具、実施例１９
（１２ａｚ）  見出し具、実施例２０
（１２ｂｚ）  見出し具、実施例２１
（１２ｃｚ）  見出し具、実施例２２
（１２ｄｚ）  見出し具、実施例２３
（１２ｅｚ）  見出し具、実施例２４
（１２ｆｚ）  見出し具、実施例２５
（１２ｈｚ）  見出し具、実施例２６
（１２ｊｚ）  見出し具、実施例２７
（１３）      咬合部材
（１４）      先端
（１５）      爪部
（１６）      断面コ字状
（１７）      雌部
（１８）      断面キノコ状
（１９）      断面矢じり状
（２０）      咬合部材
（２１）      シート状
（２２）      爪部
（２３）      爪部に相当する箇所
（２４）      爪部に相当する箇所
（２５）      雌部
（２６）      ストッパー
（２７）      ストッパー
（２８）      端部
（２９）      端部
（３０）      袋状
（３１）      表示板
（３２）      顎部
（３３）      柱状部
（３４）      先端
（３５）      表示部材
（３６）      収納部
（３７）      ストッパー
（３８）      ストッパー
（３９）      トレイ
（４０）      雌
（４１）      孔
（４２）      雄
（４３）      突起
（４４）      挿入口
（４５）      融着
（４６）      第２取付部材
（４７）      仕切用紙
（矢印Ｕ）    方向
（矢印Ｄ）    方向
（矢印Ｎ）    長手方向
（矢印Ｍ）    戻り方向
（Ａ）        寸法
（Ｂ）        寸法
（Ｆ）        寸法
（Ｇ）        寸法
（Ｈ）        寸法
（Ｊ）        寸法
（Ｋ）        寸法
【図１】
0005610204.tif 000002
【図２】
0005610204.tif 000003
【図３】
0005610204.tif 000004
【図４】
0005610204.tif 000005
【図５】
0005610204.tif 000006
【図６】
0005610204.tif 000007
【図７】
0005610204.tif 000008
【図８】
0005610204.tif 000009
【図９】
0005610204.tif 000010
【図１０】
0005610204.tif 000011
【図１１】
0005610204.tif 000012
【図１２】
0005610204.tif 000013
【図１３】
0005610204.tif 000014
【図１４】
0005610204.tif 000015
【図１５】
0005610204.tif 000016
【図１６】
0005610204.tif 000017
【図１７】
0005610204.tif 000018
【図１８】
0005610204.tif 000019
【図１９】
0005610204.tif 000020
【図２０】
0005610204.tif 000021
【図２１】
0005610204.tif 000022
【図２２】
0005610204.tif 000023
【図２３】
0005610204.tif 000024
【図２４】
0005610204.tif 000025
【図２５】
0005610204.tif 000026
【図２６】
0005610204.tif 000027
【図２７】
0005610204.tif 000028
【図２８】
0005610204.tif 000029
【図２９】
0005610204.tif 000030
【図３０】
0005610204.tif 000031
【図３１】
0005610204.tif 000032
【図３２】
0005610204.tif 000033
【図３３】
0005610204.tif 000034
【図３４】
0005610204.tif 000035
【図３５】
0005610204.tif 000036
【図３６】
0005610204.tif 000037
【図３７】
0005610204.tif 000038
【図３８】
0005610204.tif 000039
【図３９】
0005610204.tif 000040
【図４０】
0005610204.tif 000041
【図４１】
0005610204.tif 000042
【図４２】
0005610204.tif 000043
【図４３】
0005610204.tif 000044
【図４４】
0005610204.tif 000045
【図４５】
0005610204.tif 000046